【手続補正書】
【提出日】平成26年7月15日(2014.7.15)
【手続補正１】
【補正対象書類名】特許請求の範囲
【補正対象項目名】全文
【補正方法】変更
【補正の内容】
【特許請求の範囲】
【請求項１】
患者の寛骨内の寛骨臼カッププロテーゼの埋め込みを促進するための、カスタマイズされた患者別の整形外科用器具であって、前記カスタマイズされた患者別の整形外科用器具は、
（ｉ）円筒形通路を画定する内面を有する環状本体、（ｉｉ）前記環状本体から延びる複数のアーム、及び（ｉｉｉ）前記環状本体に固定されるように構成されたガイドハウジングを含む、カスタマイズされた患者別の寛骨臼リーミングガイドであって、前記ガイドハウジングは、寛骨臼リーマー外科用ツールを受容するような大きさの長手方向通路を画定する第２内面を有する、カスタマイズされた患者別の寛骨臼リーミングガイドを含み、
（ｉ）前記環状本体及び前記複数のアームはそれぞれ、前記患者の寛骨の対応する凸の輪郭を受容するように構成される、カスタマイズされた患者別の凹の輪郭を有する骨に面する表面を含み、かつ（ｉｉ）前記円筒形通路は、前記患者の寛骨に埋め込まれる際に、前記寛骨臼カッププロテーゼの所定の回転角及び所定の傾斜角に基いて、前記環状本体の前記骨に面する表面に対して向けられる長手方向軸を画定する、カスタマイズされた患者別の整形外科用器具。
【請求項２】
前記ガイドハウジングは、前記長手方向軸に沿って前記寛骨臼リーマー外科用ツールの移動を制限するために深さ停止部を含む、請求項１に記載のカスタマイズされた患者別の整形外科用器具。
【請求項３】
前記環状本体は内部に画定されたスロットを有し、前記ガイドハウジングはその下端から延びるフランジを有し、前記フランジは、前記ガイドハウジングを前記環状本体に固定するために、前記環状本体の前記スロット内に受容される大きさである、請求項１に記載のカスタマイズされた患者別の整形外科用器具。
【請求項４】
平面図で見た際に、前記複数のアームの各アームと前記複数のアームの別の隣接するアームとの間に角度が画定され、前記角度それぞれが、他のいずれかの角度と異なる大きさを有する、請求項１に記載のカスタマイズされた患者別の整形外科用器具。
【請求項５】
前記複数のアームが、前記環状本体から延びる少なくとも３つのアームを含む、請求項１に記載のカスタマイズされた患者別の整形外科用器具。
【請求項６】
前記複数のアームの少なくとも１つの前記骨に面する表面の前記カスタマイズされた患者別の凹の輪郭が、前記患者の寛骨の腸骨の対応する凸の輪郭を受容する、請求項１に記載のカスタマイズされた患者別の整形外科用器具。
【請求項７】
前記複数のアームの各アームが、骨ピンを受容する大きさの、内部を通じて延びる孔を画定する表面を含む、請求項１に記載のカスタマイズされた患者別の整形外科用器具。
【請求項８】
前記環状本体の前記骨に面する表面の前記カスタマイズされた患者別の凹の輪郭は、前記患者の寛骨の寛骨臼縁部の対応する凸の輪郭を受容する、請求項１に記載のカスタマイズされた患者別の整形外科用器具。
【請求項９】
前記環状本体の前記円筒形通路が、寛骨臼リーマー外科用ツールを受容するような大きさである、請求項１に記載のカスタマイズされた患者別の整形外科用器具。
【請求項１０】
患者の寛骨内の、寛骨臼カッププロテーゼの埋め込みを促進するための、カスタマイズされた患者別の整形外科用器具であって、前記カスタマイズされた患者別の整形外科用器具は、
寛骨臼リーマー外科用ツールであって、前記寛骨臼リーマー外科用ツールのリーマーシャンクに別個に固定されるように構成された、少なくとも１つのリーマーヘッドを含む、寛骨臼リーマー外科用ツールと、
カスタマイズされた患者別の寛骨臼リーミングガイドであって、
（ｉ）前記患者の寛骨の対応する凸の輪郭を受容するように構成される、カスタマイズされた患者別の凹の輪郭を有する骨に面する表面、及び（ｉｉ）内部を通じて延びる円筒形通路を画定する内面を含む、ガイド本体であって、前記円筒形通路は、前記患者の寛骨に埋め込まれる際に、前記寛骨臼カッププロテーゼの所定の回転角及び所定の傾斜角に基いて、前記骨に面する表面に対して向けられる長手方向軸を画定する、ガイド本体と、
前記ガイド本体に固定可能なガイドハウジングであって、前記ハウジングは、前記長手方向軸に沿って寛骨臼リーマー外科用ツールの移動を制限するために深さ停止部を有する、ガイドハウジングと、
を含む、カスタマイズされた患者別の寛骨臼リーミングガイドと、を含み、
前記リーマーシャンクは、シャフトを含み、前記シャフトは、そこから外側に延びるフランジを有し、前記フランジは、前記リーマーヘッドが前記ガイド本体の前記骨に面する表面に対する所定の位置まで前進した際に、前記深さ停止部と接触するように位置付けられる、カスタマイズされた患者別の整形外科用器具。
【請求項１１】
前記ガイド本体が複数のアームを含み、前記複数のアームの各アームが、前記患者の寛骨の対応する凸の輪郭を受容するために、カスタマイズされた患者別の凹の輪郭を有する、骨に面する表面を含む、請求項１０に記載のカスタマイズされた患者別の整形外科用器具。
【請求項１２】
前記複数のアームの各アームが、骨ピンを受容する大きさの、内部を通じて延びる孔を画定する表面を含む、請求項１１に記載のカスタマイズされた患者別の整形外科用器具。
【請求項１３】
前記ガイド本体が、前記長手方向軸に対して直角に延びる、内部に画定されたスロットを有し、前記ハウジングは、前記ガイド本体に固定可能な、端部から延びるフランジを有し、前記フランジは、前記ガイドハウジングを前記ガイド本体に固定するために、前記ガイド本体の前記スロット内に受容される大きさである、請求項１０に記載のカスタマイズされた患者別の整形外科用器具。
【請求項１４】
前記フランジが押圧可能なボタンである、請求項１０に記載のカスタマイズされた患者別の整形外科用器具。
【請求項１５】
前記カスタマイズされた患者別の寛骨臼リーミングガイドは、透明な材料から形成される、請求項１０に記載のカスタマイズされた患者別の整形外科用器具。
【請求項１６】
患者の寛骨内の、寛骨臼カッププロテーゼの埋め込みを促進するための、カスタマイズされた患者別の整形外科用器具であって、前記カスタマイズされた患者別の整形外科用器具は、
カスタマイズされた患者別の寛骨臼リーミングガイドであって、
（ｉ）前記患者の寛骨の対応する凸の輪郭を受容するように構成される、カスタマイズされた患者別の凹の輪郭を有する骨に面する表面、及び（ｉｉ）内部を通じて延びる円筒形通路を画定する内面を含む、ガイド本体であって、前記円筒形通路は、前記患者の寛骨に埋め込まれる際に、前記寛骨臼カッププロテーゼの所定の回転角及び所定の傾斜角に基いて、前記骨に面する表面に対して向けられる長手方向軸を画定する、ガイド本体と、
前記ガイド本体に固定可能なガイドハウジングであって、前記ハウジングは、前記長手方向軸に沿って寛骨臼リーマー外科用ツールの移動を制限するために深さ停止部を有する、ガイドハウジングと、
を含む、カスタマイズされた患者別の寛骨臼リーミングガイドを含み、
前記ガイド本体が、前記長手方向軸に対して直角に延びる、内部に画定されたスロットを有し、前記ガイドハウジングは、前記ガイド本体に固定可能な、端部から延びるフランジを有し、前記フランジは、前記ガイドハウジングを前記ガイド本体に固定するために、前記ガイド本体の前記スロット内に受容される大きさである、カスタマイズされた患者別の整形外科用器具。